(57)【要約】【課題】液晶表示パネルその他の画像表示部を備える画像表示装置において、表示すべき画像データのデータ量を削減して画像表示部に転送することを可能とする。【解決手段】画像表示装置は、例えば携帯電話やＰＤＡなどに搭載することができ、外部から送信された画像データなどを処理して表示する。ＣＰＵ２１６では、取得したＲＧＢ形式の元画像データをＹＵＶ４：２：２フォーマットなどに従ってＹＵＶ形式に変換し、さらに画像サイズを１／４に縮小する画像縮小処理がなされる。これにより、表示装置２１２に転送するデータ量が少なくなるため、データ転送速度を速くすることができ、同時に消費電力低減も実現できる。一方、表示装置２１２では、ＣＰＵ２１６で前述の処理がされた画像データをＹＵＶ→ＲＧＢ変換、元の画像サイズにまで拡大する画像拡大処理が行われる。この画像拡大処理では、視野角の調整などが行われて、違和感のない画像に復元される。【選択図】      図１
2004363704.tif 000002
【特許請求の範囲】
【請求項１】
画像表示部を備える画像表示装置において、
表示すべきＲＧＢ形式の画像データを取得する画像データ取得手段と、
取得した画像データをＹＵＶ形式の画像データに変換するとともに、データ量を削減するＹＵＶ変換手段と、
前記ＹＵＶ形式の画像データを縮小する画像縮小手段と、
縮小後の画像データを前記画像表示部へ転送する転送手段と、を備えることを特徴とする画像表示装置。
【請求項２】
前記ＹＵＶ変換手段は、前記ＲＧＢ形式の画像データを、ＹＵＶ４：２：２フォーマットに従って変換することを特徴とする請求項１に記載の画像表示装置。
【請求項３】
前記画像表示部は、
前記転送手段により転送された画像データをＲＧＢ形式の画像データに変換するＲＧＢ変換手段と、
ＲＧＢ変換手段により変換された画像データを拡大する画像拡大手段と、
拡大された画像データを表示する表示パネルと、を備えることを特徴とする請求項１に記載の画像表示装置。
【請求項４】
前記画像拡大手段は、拡大の対象となる１画素を、上下及び左右方向に隣接する画素の階調値が異なる４画素に拡大することを特徴とする請求項３に記載の画像表示装置。
【請求項５】
前記画像拡大手段は、拡大の対象となる１画素を、第１の階調値を有する画素と、第１の階調値とは異なる第２の階調値を有する画素とが上下及び左右方向に隣接してなる４画素に拡大し、前記第１の階調値と前記第２の階調値の平均は前記拡大の対象となる１画素の階調値に等しいことを特徴とする請求項３に記載の画像表示装置。
【請求項６】
前記画像拡大手段は、拡大の対象となる１画素を、サブピクセル単位で上下及び左右方向に隣接する画素の階調値が異なる４画素に拡大することを特徴とする請求項３に記載の画像表示装置。
【請求項７】
画像表示部を備える画像表示装置において、
表示すべきＲＧＢ形式の画像データを取得する画像データ取得手段と、
取得した画像データをＹＵＶ形式の画像データに変換するとともに、データ量を削減するＹＵＶ変換手段と、
前記ＹＵＶ形式の画像データを縮小する画像縮小手段と、
当該画像表示装置が静止画表示モードと動画表示モードのいずれにあるかを判定するモード判定手段と、
当該画像表示装置が静止画表示モードにあるときに前記画像縮小手段により縮小されていない画像データを前記画像表示部へ転送し、当該画像表示装置が動画表示モードにあるときに前記画像縮小手段による縮小後の画像データを前記画像表示部へ転送する転送手段と、を備えることを特徴とする画像表示装置。
【請求項８】
前記転送手段は、当該画像表示装置が静止画表示モードにあるときには、所定数の画素からなる画素部分に属する各画素のデータを前記画像データの転送周期ごとに順に転送することを特徴とする請求項７に記載の画像表示装置。
【請求項９】
画像表示部を備える画像表示装置において実行される画像表示方法において、
表示すべきＲＧＢ形式の画像データを取得する画像データ取得工程と、
取得した画像データをＹＵＶ形式の画像データに変換するとともに、データ量を削減するＹＵＶ変換工程と、
前記ＹＵＶ形式の画像データを縮小する画像縮小工程と、
縮小後の画像データを前記画像表示部へ転送する転送工程と、を有することを特徴とする画像表示方法。
【請求項１０】
画像表示部を備える画像表示装置において実行される画像表示プログラムであって、前記画像表示装置を、
表示すべきＲＧＢ形式の画像データを取得する画像データ取得手段、
取得した画像データをＹＵＶ形式の画像データに変換するとともに、データ量を削減するＹＵＶ変換手段、
前記ＹＵＶ形式の画像データを縮小する画像縮小手段、及び
縮小後の画像データを前記画像表示部へ転送する転送手段、として機能させることを特徴とする画像表示プログラム。
【請求項１１】
画像表示部を備える画像表示装置において実行される画像表示方法において、
表示すべきＲＧＢ形式の画像データを取得する画像データ取得工程と、
取得した画像データをＹＵＶ形式の画像データに変換するとともに、データ量を削減するＹＵＶ変換工程と、
前記ＹＵＶ形式の画像データを縮小する画像縮小工程と、
当該画像表示装置が静止画表示モードと動画表示モードのいずれにあるかを判定するモード判定工程と、
当該画像表示装置が静止画表示モードにあるときに前記画像縮小手段により縮小されていない画像データを前記画像表示部へ転送し、当該画像表示装置が動画表示モードにあるときに前記画像縮小手段による縮小後の画像データを前記画像表示部へ転送する転送工程と、を有することを特徴とする画像表示方法。
【請求項１２】
画像表示部を備える画像表示装置において実行される画像表示プログラムであって、前記画像表示装置を、
表示すべきＲＧＢ形式の画像データを取得する画像データ取得手段、
取得した画像データをＹＵＶ形式の画像データに変換するとともに、データ量を削減するＹＵＶ変換手段、
前記ＹＵＶ形式の画像データを縮小する画像縮小手段、
当該画像表示装置が静止画表示モードと動画表示モードのいずれにあるかを判定するモード判定手段、及び、
当該画像表示装置が静止画表示モードにあるときに前記画像縮小手段により縮小されていない画像データを前記画像表示部へ転送し、当該画像表示装置が動画表示モードにあるときに前記画像縮小手段による縮小後の画像データを前記画像表示部へ転送する転送手段、として機能させることを特徴とする画像表示プログラム。
【発明の詳細な説明】
【０００１】
【発明の属する技術分野】
本発明は、液晶表示パネルその他の画像表示部を備える画像表示装置において、表示すべき画像データのデータ量を削減して画像表示部に転送する手法に関する。
【０００２】
【背景技術】
近年では、携帯電話やＰＤＡ（Ｐｅｒｓｏｎａｌ  Ｄｉｇｉｔａｌ  Ａｓｓｉｓｔａｎｔ）などの携帯端末装置に搭載する表示装置の大画面サイズ化、高解像度化が進んでおり、従来より画素数の多い高解像度の画像データをより大きな画面上に表示することが可能となっている。
【０００３】
【発明が解決しようとする課題】
しかし、そのような大画面表示又は高解像度表示に対応する高解像度画像データはそのデータ量が多い。表示装置へのデータ転送においては、データ線（データライン）数を増やせばクロック数を減らせるが、その分消費電力が大きくなるという欠点がある。
【０００４】
また、半導体回路である液晶ドライバＩＣは、その性質上動作クロック数の上限がある。例えば、データ線数が１本の場合で、解像度が１７６×２０８画素であるＱＣＩＦ（Ｑｕａｒｔｅｒ  Ｃｏｍｍｏｎ  Ｉｎｔｅｒｍｅｄｉａｔｅ  Ｆｏｒｍａｔ）に従って１画素当りＲＧＢ各６ビット、計１８ビットの動画データを毎秒６０フレーム転送するためには、３９．５ＭＨｚ（１７６×２０８×１８×６０）のドットクロックが必要である。一方、データ線数が３本である場合は、ドットクロックは上記の場合の１／３の１３．２ＭＨｚとなる。この程度ならば、現状の半導体プロセスで製作される液晶ドライバＩＣの内蔵回路、とくにＲＡＭの読み書きスピードが十分対応可能である。
【０００５】
しかし、解像度が３５２×４１６画素にもなるＣＩＦ（Ｃｏｍｍｏｎ  Ｉｎｔｅｒｍｅｄｉａｔｅ  Ｆｏｒｍａｔ）になると、上述したものと同様に１画素当りＲＧＢ各６ビット、計１８ビットの動画データを毎秒６０フレーム転送するためには、ドットクロックは１５８．１ＭＨｚ必要になる。この場合、データ線数を３本にしてもドットクロックは５２．７ＭＨｚにもなり、現状のＲＡＭの読み書きスピードでは対応不能になる。また、さらに高画質な２４ビット（フルカラー：ＲＧＢ各８ビット）の画像データを転送する場合にはドットクロックは２１０ＭＨｚとなり、データ線数を３本にしても７０．３ＭＨｚにもなる。よって、現在の液晶ドライバＩＣの能力では対応できない。
【０００６】
また、上述のように、データ線数を増やすことによってドットクロックを低減することは理論的には可能であるが、携帯端末装置は実装面積に限度があり、液晶ドライバＩＣの信号入出力部は小さなコネクタや小さな接点にならざるを得ない。よって、データ線数を増加することは、携帯端末装置を携帯する際の衝撃や温度変化などによりコネクタの信頼性低下に繋がる可能性がある。つまり、データ線数の増大には限界がある。
【０００７】
本発明は、上記のような問題を解決するためになされたもので、その目的とするところは、液晶表示パネルその他の画像表示部を備える画像表示装置において、表示すべき画像データのデータ量を削減して画像表示部に転送することが可能な画像表示装置、画像表示方法及び画像表示プログラムを提供することにある。
【０００８】
【課題を解決するための手段】
本発明の１つの観点によれば、画像表示部を備える画像表示装置は、表示すべきＲＧＢ形式の画像データを取得する画像データ取得手段と、取得した画像データをＹＵＶ形式の画像データに変換するとともに、データ量を削減するＹＵＶ変換手段と、前記ＹＵＶ形式の画像データを縮小する画像縮小手段と、縮小後の画像データを前記画像表示部へ転送する転送手段と、を備える。
【０００９】
上記の画像表示装置は、例えば画像表示部として液晶表示パネルを備える携帯電話、携帯型端末などの各種端末装置とすることができる。画像データ取得手段は、例えば外部のサーバその他からＲＧＢ形式の画像データを取得する。この画像データは、静止画データと動画データの両方を含む。取得された画像データは、ＹＵＶ形式に変換されるとともに、データ量が削減された後、画像縮小処理によりさらにデータ量が削減される。そうしてデータ量が削減された画像データが、画像表示部へ転送され、表示される。よって、画像表示部への画像データの転送処理の負担を軽減し、転送を高速化することができる。
【００１０】
好適な一実施例では、前記ＹＵＶ変換手段は、前記ＲＧＢ形式の画像データを、ＹＵＶ４：２：２フォーマットに従って変換することができる。
【００１１】
上記の画像表示装置の一態様では、前記画像表示部は、前記転送手段により転送された画像データをＲＧＢ形式の画像データに変換するＲＧＢ変換手段と、ＲＧＢ変換手段により変換された画像データを拡大する画像拡大手段と、拡大された画像データを表示する表示パネルと、を備える。この態様によれば、データ量が削減された状態で画像表示部に転送された画像データは、画像表示部内において拡大され、かつ、ＲＧＢ形式に変換されて表示される。よって、元の画像データのサイズを復元して表示が可能となる。
【００１２】
上記の画像表示装置の他の一態様では、前記画像拡大手段は、拡大の対象となる１画素を、上下及び左右方向に隣接する画素の階調値が異なる４画素に拡大することができる。拡大の対象となる画素を、上下左右方向に階調値が異なる複数の画素に拡大することにより、画像表示部として使用される液晶パネルの視野角を改善することが可能となる。
【００１３】
上記の画像表示装置の他の一態様では、前記画像拡大手段は、拡大の対象となる１画素を、第１の階調値を有する画素と、第１の階調値とは異なる第２の階調値を有する画素とが上下及び左右方向に隣接してなる４画素に拡大し、前記第１の階調値と前記第２の階調値の平均は前記拡大の対象となる１画素の階調値に等しい。このように、階調値の異なる画素に拡大する際に、拡大後の画素の平均値を拡大の対象となる画素の階調値と等しくすることにより、それらの画素の集合としては拡大前の画素と階調値が異なった印象を与えることなく、視野角の改善が可能となる。
【００１４】
上記の画像表示装置の他の一態様では、前記画像拡大手段は、拡大の対象となる１画素を、サブピクセル単位で上下及び左右方向に隣接する画素の階調値が異なる４画素に拡大する。これにより、画素を構成するＲＧＢなどのサブピクセル単位で視野角の改善効果を得ることが可能となる。
【００１５】
本発明の同様の観点では、画像表示部を備える画像表示装置において実行される画像表示方法は、表示すべきＲＧＢ形式の画像データを取得する画像データ取得工程と、取得した画像データをＹＵＶ形式の画像データに変換するとともに、データ量を削減するＹＵＶ変換工程と、前記ＹＵＶ形式の画像データを縮小する画像縮小工程と、縮小後の画像データを前記画像表示部へ転送する転送工程と、を有する。
【００１６】
本発明のさらに同様の観点では、画像表示部を備える画像表示装置において実行される画像表示プログラムは、前記画像表示装置を、表示すべきＲＧＢ形式の画像データを取得する画像データ取得手段、取得した画像データをＹＵＶ形式の画像データに変換するとともに、データ量を削減するＹＵＶ変換手段、前記ＹＵＶ形式の画像データを縮小する画像縮小手段、及び、縮小後の画像データを前記画像表示部へ転送する転送手段、として機能させる。
【００１７】
これら画像表示方法及び画像表示プログラムによっても、上記の画像表示装置と同様にデータ量を削減して画像表示部に転送することが可能となる。
【００１８】
本発明の他の観点では、画像表示部を備える画像表示装置は、表示すべきＲＧＢ形式の画像データを取得する画像データ取得手段と、取得した画像データをＹＵＶ形式の画像データに変換するとともに、データ量を削減するＹＵＶ変換手段と、前記ＹＵＶ形式の画像データを縮小する画像縮小手段と、当該画像表示装置が静止画表示モードと動画表示モードのいずれにあるかを判定するモード判定手段と、当該画像表示装置が静止画表示モードにあるときに前記画像縮小手段により縮小されていない画像データを前記画像表示部へ転送し、当該画像表示装置が動画表示モードにあるときに前記画像縮小手段による縮小後の画像データを前記画像表示部へ転送する転送手段と、を備える。
【００１９】
上記の画像表示装置は、例えば画像表示部として液晶表示パネルを備える携帯電話、携帯型端末などの各種端末装置とすることができる。画像データ取得手段は、例えば外部のサーバその他からＲＧＢ形式の画像データを取得する。この画像データは、静止画データと動画データの両方を含む。取得された画像データは、ＹＵＶ形式に変換されるとともに、データ量が削減された後、画像縮小処理によりさらにデータ量が削減される。
【００２０】
また、画像表示装置が静止画表示モードと動画表示モードのいずれにあるかが判定され、静止画表示モードにあるときには縮小されていない画像データが前記画像表示部へ転送され、動画表示モードにあるときに縮小後の画像データが前記画像表示部へ転送される。よって、動画表示モードにある場合にはデータ量が削減された画像データが、画像表示部へ転送され、表示されるので画像表示部への画像データの転送処理の負担を軽減し、転送を高速化することができる。一方、静止画表示モードでは、高画質の画像データを転送し、表示することができる。
【００２１】
上記の画像表示装置の一態様では、前記転送手段は、当該画像表示装置が静止画表示モードにあるときには、所定数の画素からなる画素部分に属する各画素のデータを前記画像データの転送周期ごとに順に転送する。例えば、４画素からなる画素部分を１単位とし、画像データの１フレーム転送周期ごとに、それら４画素のデータ、即ち階調値を順に転送する。画像表示部では、最初の１フレーム転送後には４画素が同一の階調値となるものの、１画面全体の画像データが迅速に表示できる。また、４フレーム転送後には元の画像データが完全に復元でき、高画質の静止画が表示できる。
【００２２】
本発明の同様の観点では、画像表示部を備える画像表示装置において実行される画像表示方法は、表示すべきＲＧＢ形式の画像データを取得する画像データ取得工程と、取得した画像データをＹＵＶ形式の画像データに変換するとともに、データ量を削減するＹＵＶ変換工程と、前記ＹＵＶ形式の画像データを縮小する画像縮小工程と、当該画像表示装置が静止画表示モードと動画表示モードのいずれにあるかを判定するモード判定工程と、当該画像表示装置が静止画表示モードにあるときに前記画像縮小手段により縮小されていない画像データを前記画像表示部へ転送し、当該画像表示装置が動画表示モードにあるときに前記画像縮小手段による縮小後の画像データを前記画像表示部へ転送する転送工程と、を有する。
【００２３】
また、本発明の同様の観点では、画像表示部を備える画像表示装置において実行される画像表示プログラムは、前記画像表示装置を、表示すべきＲＧＢ形式の画像データを取得する画像データ取得手段、取得した画像データをＹＵＶ形式の画像データに変換するとともに、データ量を削減するＹＵＶ変換手段、前記ＹＵＶ形式の画像データを縮小する画像縮小手段、当該画像表示装置が静止画表示モードと動画表示モードのいずれにあるかを判定するモード判定手段、及び、当該画像表示装置が静止画表示モードにあるときに前記画像縮小手段により縮小されていない画像データを前記画像表示部へ転送し、当該画像表示装置が動画表示モードにあるときに前記画像縮小手段による縮小後の画像データを前記画像表示部へ転送する転送手段、として機能させる。
【００２４】
これら画像表示方法及び画像表示プログラムによっても、上記の画像表示装置と同様に、動画データについてはデータ量を削減して画像表示部に転送し、静止画データについては高画質のデータを転送し、表示することが可能となる。
【００２５】
【発明の実施の形態】
以下、図面を参照して本発明の好適な実施の形態について説明する。
【００２６】
［携帯端末装置の構成］
図１に、本発明の実施形態に係る携帯端末装置の概略構成を示す。図１において、携帯端末装置２１０は、例えば携帯電話やＰＤＡなどの端末装置である。携帯端末装置２１０は、表示装置２１２と、送受信部２１４と、ＣＰＵ２１６と、入力部２１８と、プログラムＲＯＭ２２０と、ＲＡＭ２２４とを備える。また、表示装置２１２は、ドライバ２２６と表示パネル２２７などから構成されている。
【００２７】
送受信部２１４は、外部から画像データを受信する。画像データの受信は、例えば利用者が携帯端末装置２１０を操作してコンテンツ提供サービスを行うサーバ装置などに接続し、所望の画像データをダウンロードする指示を入力することにより行われる。受信される画像データは、動画データと静止画データとを含む。送受信部２１４が受信した画像データはＲＡＭ２２４に保存することができる。ここでは、例えば１画素当りＲＧＢ２４ビットの画像データが受信されるものとする。
【００２８】
入力部２１８は、携帯電話であれば各種の操作ボタンなど、ＰＤＡであればタッチペンなどによる接触を検出するタブレットなどにより構成することができ、ユーザが各種の指示、選択を行う際に使用される。入力部２１８に対して入力された指示、選択などは、電気信号に変換されてＣＰＵ２１６へ送られる。
【００２９】
プログラムＲＯＭ２２０は、携帯端末装置２１０の各種機能を実行するための各種プログラムを記憶し、特に本実施形態では送受信部２１４から送られてきた画像データをＲＧＢ→ＹＵＶ変換（ＹＵＶ変換とも呼ぶ。）するためのプログラム、画像データの画素数を削減する画像縮小処理プログラムなどを記憶している。
【００３０】
ＲＡＭ２２４は、画像縮小処理プログラムに従って元の画像データをサイズの小さい画像データ（即ち、データ量が小さい画像データ）に変換する際などに作業用メモリとして使用される。また、前述のように、送受信部２１４が受信した外部からの画像データを必要に応じて保存することもできる。
【００３１】
ＣＰＵ２１６は、プログラムＲＯＭ２２０内に記憶されている各種プログラムを実行することにより、携帯端末装置２１０の各種機能を実行する。本実施形態では、まず、プログラムＲＯＭ２２０内に記憶されているＲＧＢ→ＹＵＶ変換プログラムを読み出して実行することにより、ＲＧＢ→ＹＵＶ変換部２３１として機能し、ＲＧＢ形式の画像データをＹＵＶ形式の画像データに変換する。この際に、データ量を少なくするようなサンプリング方式で処理することもできる。例えば、入力された画像データがＲＧＢ２４ビット／画素のものであれば、変換された画像データをＹＵＶ４：２：２フォーマットにより１６ビット／画素とすることができる。
【００３２】
また、ＣＰＵ２１６は、同じくプログラムＲＯＭ２２０内に記憶されている画像縮小処理プログラムを読み出して実行することにより、画像縮小処理部２３２として機能し、画像データの画素数を削減することができる。例えば、送受信部２１４を介して受信した画像がＣＩＦサイズである場合、１／４の縮小処理を行ってＱＣＩＦサイズとすることができる。
【００３３】
また、ＣＰＵ２１６は、利用者による入力部２１８への入力に基づいて、携帯端末装置２１０が静止画表示モードにあるか、動画表示モードにあるかを判定し、モード判定結果Ｓ２を表示装置２１２へ供給する。なお、ＣＰＵ２１６は、利用者による入力に基づいて行う他に、送受信部２１４から供給される画像データが静止画データであるか動画データであるかを検出し、その結果に基づいて自動的にモード判定を行うように構成することもできる。
【００３４】
このように、ＣＰＵ２１６において画像データのデータ量を削減するので、表示装置２１２への画像データのデータ転送速度を速くすることができ、低消費電力も実現できる。なお、ＣＰＵ２１６は、これら以外に各種のプログラムを実行することにより携帯端末装置２１０の各種機能を実現するが、それらは本発明とは直接の関連を有しないので、説明を省略する。
【００３５】
表示装置２１２は、例えばＬＣＤ（Ｌｉｑｕｉｄ  Ｃｒｙｓｔａｌ  Ｄｉｓｐｌａｙ：液晶表示装置）などの軽量、薄型の表示装置であり、液晶の表示パネル２２６や半導体であるドライバ２２６などから構成されている。また、表示装置２１２はＣＰＵ２１６から受け取った画像データに対する処理部として、ＹＵＶ→ＲＧＢ変換部２３３と、画像拡大処理部２３４とを備える。なお、これらの処理部は、例えば表示装置内のプロセッサが所定のＹＵＶ→ＲＧＢ変換プログラムや画像拡大処理プログラムを実行することにより実現することができ、ドライバ２２６の内部に設けることもできる。
【００３６】
表示装置２１２は、ＣＰＵ２１６でデータ量を低減した後の画像データＳ１を受け取り、拡大処理などを施して表示パネル２２７に表示する。具体的には、表示装置２１２では、ＣＰＵ２１６においてＹＵＶ変換されたＹＵＶ画像データＳ１を、ＹＵＶ→ＲＧＢ変換部２３３がＲＧＢ画像データに変換する。これは、一般的に表示装置２１２に内蔵されているドライバはＲＧＢ形式の画像データ対応のものとなっているからである。次に、ＣＰＵ２１６において画像サイズを縮小する処理がなされている場合、画像拡大処理部２３４が画像データを元の画像サイズに拡大する。但し、ＣＰＵ２１６から表示装置２１２へ供給される画像データＳ１がＣＰＵ２１６において画像縮小処理なされていない場合は、表示装置２１２内において画像拡大処理部２３４による画像拡大処理は行われない。
【００３７】
こうして、必要な処理がなされた画像データが、ドライバ２２６に供給される。ドライバ２２６は入力された画像データに従って表示パネル２２７を駆動し、表示パネル２２７の表示エリア内に画像を表示する。表示装置２１２は、例えば横方向と縦方向の画素数が上述したような３５２×４１６画素（ＣＩＦサイズ）などの高解像度表示が可能なものである。
【００３８】
以上のように、本実施形態では、ＣＰＵ２１６内でＲＧＢ→ＹＶＵ変換処理や画像縮小処理などを行って元の画像データのデータ量を削減した後で、表示装置２１２へ供給する。よって、表示装置２１２への画像データのデータ転送速度を速くすることができ、低消費電力も実現できる。
【００３９】
［ＣＰＵでの画像処理］
次に、ＣＰＵ２１６で行われるＲＧＢ→ＹＵＶ変換処理及び画像縮小処理について詳細に説明する。
【００４０】
（ＲＧＢ→ＹＵＶ変換処理）
まず、ＣＰＵ２１６内のＲＧＢ→ＹＵＶ変換部２３１により行われるＲＧＢ→ＹＵＶ変換処理について説明する。この変換処理は、外部から受信したＲＧＢ形式の画像データをＹＵＶ形式に変換するものである。ここで、ＲＧＢ形式において、Ｒ、Ｇ、ＢはそれぞれＲｅｄ（赤）、Ｇｒｅｅｎ（緑）、Ｂｌｕｅ（青）という光の三原色の階調値を指している。一方、ＹＵＶ形式において、Ｙは輝度、ＵとＶはそれぞれ青の色差（Ｃｂ）、赤の色差（Ｃｒ）を表している。送受信部２１４からＣＰＵ２１６に送られたＲＧＢ形式の画像データは、ＲＧＢ→ＹＵＶ変換部２３１において下式によりＹＵＶ形式に変換される。なお、下式はＲＧＢ→ＹＵＶ変換に用いられる一般的な式である。
【００４１】
Ｙ＝  ０．２９９Ｒ＋０．５８７Ｇ＋０．１１４Ｂ
Ｕ＝−０．１６９Ｒ−０．３３１Ｇ＋０．５００Ｂ＋１２８
Ｖ＝  ０．５００Ｒ−０．４１９Ｇ−０．０８１Ｂ＋１２８
本実施形態においては、上記のＹＵＶ変換がなされる際、図２に示すようなＹＵＶ４：２：２フォーマットでサンプリングを行うことができる。この方式は、水平方向４画素を基準として考え、輝度は画素ごとに８ビット、色差は２画素ごとに平均して８ビットでサンプリングする方式である。この例の場合、１画素１６ビットのデータ量となる。このため、１画素２４ビットのＲＧＢ形式のデータを受信した場合、ＲＧＢ→ＹＵＶ変換部２３１がＹＵＶ４：２：２フォーマットに従って変換を行えば１画素１６ビットのＹＵＶ形式の画像データが得られる。つまり、変換後の画像データは、元の１画素２４ビットのＲＧＢ形式の画像データの２／３のデータ量となる。なお、このようにＹＵＶ４：２：２フォーマットに従って処理を行った画像は、データ量が変わらないようなサンプリング方式で処理したものと比べて（例えば、ＹＵＶ４：４：４フォーマットでサンプリングを行った画像データと比較して）、画質に大差があるようには知覚されない。よって、本実施形態では、ＣＰＵ２１６内のＲＧＢ→ＹＵＶ変換部２３１はＹＵＶ４：２：２フォーマットに従って変換を行い、１画素１６ビットのＹＵＶ形式の画像データを生成することにより、データ量を削減する。
【００４２】
（画像縮小処理）
本実施形態においては、上述したＲＧＢ→ＹＵＶ変換により画像データ量を削減した画像データのデータ量を、ＣＰＵ２１６内の画像縮小処理部２３２によりさらに削減する。画像縮小処理の例を図３に示す。
【００４３】
図３（ａ）に示す例は、縦２画素、横２画素の計４画素からなる正方形の画像を、４画素のうちの１つの画素で代表させて、１画素の画像とするものである。なお、図３（ａ）の例は、図中左上の画素の階調値「ａ」を縮小後の画素の階調値としているが、他のどの画素を用いても構わない。一方、図３（ｂ）に示す例は、階調値の平均化による画像縮小処理である。即ち、４つの画素の各階調値「ａ」、「ｂ」、「ｃ」、「ｄ」、の平均値「ｅ」を縮小後の画素の階調値としている。なお、本実施形態では、画像縮小処理は基本的に上記のいずれを用いてもよい。上記の画像縮小処理を行うことにより、画像データは１／４のデータ量となる。
【００４４】
以上のように、本実施形態では、ＣＰＵ２１６において、元の画像データに対してまずＲＧＢ→ＹＵＶ変換処理を行い、次に画像縮小処理を行う。ＲＧＢ→ＹＵＶ変換処理により１画素２４ビットのＲＧＢ形式画像データが１画素１６ビットのＹＵＶ形式画像データに変換され、データ量は２／３に減少する。次に、画像縮小処理により、画素数を１／４にする。従って、ＣＰＵ２１６において各処理をした結果、データ量は全体で元の画像データのデータ量の１／６（＝２／３×１／４）に削減することができる。これにより、データ量が削減された画像を表示装置２１２に転送することが可能となる。
【００４５】
なお、表示する画像の画質を優先する場合（例えば静止画などを表示する場合）は、上記のＹＵＶ４：２：２フォーマットのサンプリングや画像縮小処理を行わせないようにすることもできる。これについては、さらに後述する。
【００４６】
［表示装置での画像処理］
次に、表示装置２１２で行われるＹＵＶ→ＲＧＢ変換処理及び画像拡大処理について説明する。
【００４７】
（ＹＵＶ→ＲＧＢ変換処理）
まず、表示装置２１２内のＹＵＶ→ＲＧＢ変換部２３３は、ＣＰＵ２１６内のＲＧＢ→ＹＵＶ変換部２３１でＹＵＶ変換されたＹＵＶ形式の画像データを、ＲＧＢ形式の画像データに変換する。ここでは、上述のＹＵＶ変換とは逆の変換を行い、下式により変換がなされる。なお、この変換の際、例えば１画素１６ビットのＹＵＶ形式の画像データを、場合に応じて１画素２４ビットのＲＧＢ形式のデータ等に補完することによって変換しても良い。
【００４８】
Ｒ＝１．０００Ｙ                          ＋１．４０２（Ｖ−１２８）
Ｇ＝１．０００Ｙ−０．３４４（Ｕ−１２８）−０．７１４（Ｖ−１２８）
Ｂ＝１．０００Ｙ＋１．７７２（Ｕ−１２８）
このＹＵＶ→ＲＧＢ変換処理により、ＣＰＵ２１６から供給されたＹＵＶ形式の画像データが、ドライバ２２６の処理可能なＲＧＢ形式の画像データに変換される。
【００４９】
（画像拡大処理）
次に、ＣＰＵ２１６内の画像縮小処理部２３２により縮小された画像を元の画像サイズに違和感のない画像として復元する方法、即ち画像拡大処理部２３４による画像拡大処理について説明する。但し、先にも述べたように、表示装置２１２に入力される画像データに対して画像縮小処理２３２が行われていない場合は、表示装置２１２は以下に述べる画像拡大処理を行わない。なお、本実施形態では、以下に述べるように、画像拡大処理において視野角の調整行うことができる。
【００５０】
（１）単純な画像拡大処理
図４（ａ）に、単純な画像拡大処理を模式的に示す。図４（ａ）の例は、１画素を縦方向及び横方向に２倍に拡大して４画素とする画像拡大処理の例である。この場合、処理前の１画素を単純に４つ隣接させて４画素の画像データを作成する。単純な画像拡大処理では、処理前後の画素の階調値は変化しない。例えば図４（ａ）の例で、変換前の１画素の階調値が「１６」であるとすると、画像拡大処理後の４つの画素の階調値はいずれも「１６」のままである。よって、特に視野角の改善は得られない。
【００５１】
（２）視野角調整を伴う画像拡大処理
次に、視野角調整を伴う画像拡大処理について説明する。
【００５２】
（ａ）基本的な視野角調整
基本的な視野角調整を適用した画像拡大処理方法を図４（ｂ）に模式的に示す。本実施形態では表示装置として液晶表示装置を採用しているが、ＴＮモード液晶の場合、上下方向の視野角が狭いという性質がある。よって、上下方向の視野角を広げる手法として、上下方向に配置する画素に階調差を与える方向が知られている。１つの典型的な例では、図４（ｂ）に示すように、１つの画素を画像拡大処理において拡大する際に、上下方向に配列される画素の階調値に差を与える。図４（ｂ）の例では、画像拡大処理の対象となる画素の階調値が「１６」であるとし、その１画素を縦方向及び横方向に２倍して４画素とする際に、４つの画素の階調値を「１６」のままではなく、例えば「２４」と「８」というように差を設ける。そして、階調値が異なる画素のペアを上下方向に並ぶように配置する。図４（ｂ）の例では、階調値「８」の画素と階調値「２４」の画素とが上下方向に並ぶように配置されている。なお、この場合でも、拡大後の４画素の階調値の合計は「３２」であり、図４（ａ）に示す単純な画像拡大処理の場合と同一である。即ち、視野角調整を伴う拡大処理でも、拡大後の４画素単位で見れば画素の輝度値が大きく変化するわけではなく、観察者が異なる画像として認識することはない。
【００５３】
このように、上下方向に配置される画素の階調値が異なるように、１画素を拡大して画像拡大処理を行うことにより、上下方向の視野角を改善することができる。なお、基本的には、上下方向に隣接して配置される画素の階調値差が大きいほど、視野角の増加度合いは大きくなる。よって、画像拡大処理を行う際に、上下方向に隣接配置される画素の階調値差を調整することにより、視野角の改善度合いを調整することができる。また、上下方向に隣接する画素間に、少なくとも所定の階調値差を与えることにより、解像度の改善効果が確実に得られるようにすることができる。
【００５４】
（ｂ）ＲＧＢ毎の視野角調整
上述のように、画像拡大処理により１画素を例えば２×２の４画素に拡大する場合、上下方向に位置する画素の階調値が異なるように画素を配置することにより、上下方向の視野角を改善することができる。
【００５５】
しかし、実際のＴＮモード液晶においては、Ｒ（赤）、Ｇ（緑）、Ｂ（青）の色毎に、視野角依存性が異なることが測定によりわかっている。１画素は、Ｒ、Ｇ、Ｂ各色のサブピクセルにより構成されているので、画像拡大処理により上下方向に配置されるサブピクセルの階調値を、Ｒ、Ｇ、Ｂの各色毎に個別に設定することにより、各色毎に適切な視野角調整を行うことができる。
【００５６】
図５は、ＲＧＢのサブピクセル毎に階調値を調整する画像拡大処理の例を示している。画像拡大処理前の１画素の階調値がＲＧＢともに「１２７」であったとする。図５に示す画像拡大処理後の４画素において、最も左のＲのサブピクセルは上側が階調値「６４」、下側が階調値「１８８」であるのに対し、その右側のＧのサブピクセルは上側が階調値「６８」、下側が階調値「１８６」である。また、さらにその右側のＢのサブピクセルは上側が階調値「７０」、下側が階調値「１８４」である。このように、ＲＧＢの色毎に、画像拡大処理後の各サプピクセルの階調値の割り当てを異ならせることにより、各色毎に適切な視野角調整を行うことができる。その結果、視野角によって現れる不要な色のモワレなどを除去することができる。
【００５７】
（ｃ）表示特性を考慮した視野角調整
次に、表示装置の表示特性、具体的にはガンマ（γ）特性やトーン特性などを考慮した視野角調整方法を説明する。上述の視野角調整方法では、上下方向に配置される画素の階調値に階調値の差、即ち明暗の差を与えて視野角を広げている。しかし、実際にどの程度の階調値差を与えるのがよいかは、実験的あるいは統計的に決定されるものであった。
【００５８】
これに対し、実際にどの程度の階調値差を与えるかを、表示装置の物理的な表示特性、具体的にはガンマ特性やトーン特性を考慮して決定すれば、使用する表示装置に適合した視野角調整が可能となる。この方法について、以下に説明する。
【００５９】
図６（ａ）に、あるＴＮモード液晶パネルの透過率特性（トーン特性）例を示す。なお、トーン特性とは、対象となる液晶パネルに対して、あるレベル（階調値）の入力を与えたときに、実際にどのレベル（階調値）の出力が得られるかを示す特性であり、図６（ａ）に示すように、横軸に入力階調値、縦軸に出力階調値が示される。
【００６０】
図６（ａ）において、特性Ｃ１は液晶パネル面に対して垂直方向（０度方向とする）から人間が観察した場合のトーン特性であり、特性Ｃ２は液晶パネル面に対して−３０度方向から人間が観察した場合のトーン特性であり、特性Ｃ３は液晶パネル面に対して＋３０度方向から人間が観察した場合のトーン特性である。
【００６１】
なお、液晶パネル面と特性Ｃ１〜Ｃ３に対応する観察方向との関係を図６（ｄ）に模式的に示している。図６（ｄ）において、液晶パネル面Ｐに対して、垂直、−３０度及び＋３０度で観察した特性がそれぞれ特性Ｃ１〜Ｃ３である。
【００６２】
図６（ａ）に示すように、０度の観察方向に対応する特性Ｃ１は入力階調度と出力階調度とがほぼ比例関係にあるのに対し、−３０度の観察方向に対応する特性Ｃ２は出力画素値が明るい側に湾曲しており、逆に＋３０度の観察方向に対応する特性Ｃ３は出力画素値が暗い側に湾曲している。つまり、０度の観察方向から液晶パネル面Ｐを見ると、入力画素値にほぼ比例した明るさである画素を観察することができるが、人間が−３０度の観察方向から観察すると同じ画素がかなり明るく見える。また、人間が＋３０度の観察方向から観察すると同じ画素がかなり暗く見える。
【００６３】
実際に人間が液晶パネルを観察する際には、観察方向が±３０度ぐらい変化することは多いので、その程度の観察方向の変化があった場合でも、ある画素がなるべく同じ明るさで見えること、又は、少なくとも極端に明るく見えたり暗く見えたりすることがないことが好ましい。
【００６４】
そこで、本例では、図７（ａ）及び（ｂ）に示すように、画像拡大処理により１画素を４画素に拡大する際に、上下方向に隣接する２つの画素のうち一方を特性Ｃ２に対応する階調値とし、他方を特性Ｃ３に対応する階調値とする。こうすることにより、液晶パネルを観察する人間は、特性Ｃ２による階調値と特性Ｃ３による階調値の平均的な階調値（つまり、平均的な明るさ）で画素を観察することになる。
【００６５】
例えば、図６（ａ）のトーン特性において、階調値が「ａ」である１画素を画像拡大処理して４画素を構成した場合、図７（ｃ）に示すように、特性Ｃ２に対応する画素の階調値は「Ｌａ２」となり、特性Ｃ３に対応する画素の階調値は「Ｌａ３」となる。よって、人間はこの４画素をまとめて見た場合には両者の平均値である階調値「Ｌａ」でその画素を認識することになり（図６（ａ）の点Ｐａに対応する）、特性Ｃ２とＣ３の中間にある階調値で画素を認識することになる。
【００６６】
上記の例では、入力階調値「ａ」が中間的な輝度レベルであったが、例えば入力階調値が暗めの輝度レベル「ｂ」であった場合を図６（ｂ）に示す。この場合、図７（ｄ）に示すように、特性Ｃ２に対応する画素の階調値は「Ｌｂ２」となり、特性Ｃ３に対応する画素の階調値は「Ｌｂ３」となる。よって、人間はこの４画素をまとめて見た場合には両者の平均値である階調値「Ｌｂ」でその画素を認識することになり（図６（ｂ）の点Ｐｂに対応する）、特性Ｃ２とＣ３の中間にある階調値で画素を認識することになる。この例の場合、特性Ｃ３よる出力階調値Ｌｂ３はかなり暗いが、特性Ｃ２による出力階調値Ｌｂ２は明るいので、特性Ｃ３のみの場合のように画素が暗すぎる状態で表示されるという不具合がなくなる。
【００６７】
逆に、例えば入力階調値が明るめの輝度レベル「ｃ」であった場合を図６（ｃ）に示す。この場合、図７（ｅ）に示すように、特性Ｃ２に対応する画素の階調値は「Ｌｃ２」となり、特性Ｃ３に対応する画素の階調値は「Ｌｃ３」となる。よって、人間はこの４画素をまとめて見た場合には両者の平均値である階調値「Ｌｃ」でその画素を認識することになり（図６（ｃ）の点Ｐｃに対応する）、特性Ｃ２とＣ３の中間にある階調値で画素を認識することになる。この例の場合、特性Ｃ２よる出力階調値Ｌｃ２は、それのみではかなり明るいが、特性Ｃ３による出力階調値Ｌｃ３はそれより暗いので、特性Ｃ２のみの場合のように画素が明るすぎる状態で表示されるという不具合がなくなる。
【００６８】
以上のように、画像拡大処理により１画素を４画素に拡大する際、上下に隣接する画素の一方を−３０度の観察方向に対応するトーン特性Ｃ２に対応する階調値とし、他方を＋３０度の観察方向に対応するトーン特性Ｃ３に対応する階調値とすることにより、拡大後の４画素を観察する人間は特性Ｃ２とＣ３の平均的な輝度レベル（明るさ）で画素を認識することになり、画素が暗く又は明るく見えすぎるという不具合は生じない。また、実際には、観察時に液晶パネルの方向や人間の視線方向などが多少変化するが、観察中にそれらが多少（厳密には±３０度の範囲内で）変化しても人間の目で観察される画素の明るさは特性Ｃ２とＣ３の間に維持されるので、画素が暗く又は明るく見えすぎるという不具合は生じない。よって、この方法は、対象となる液晶パネルの物理的な特性に基づいて、その液晶パネルに対して適切な視野角調整を可能とする方法である。
【００６９】
なお、実際の階調値の決定処理としては、まず、図６（ａ）に示す特性Ｃ２及びＣ３を予めルックアップテーブル（ＬＵＴ）などに記憶しておく。そして、画像拡大処理により拡大の対象となる１画素が決まると、ＬＵＴを参照し、特性Ｃ２及びＣ３においてその階調値に対応する出力階調値を取得して、拡大後の４画素の階調値に割り当てればよい（図７参照）。
【００７０】
また、以上の説明では、図６（ａ）に示すトーン特性をＲＧＢ３色共通のものとしている。実際には、前述のように、ＲＧＢの各色毎に視野角特性が異なることがわかっているので、上記のトーン特性もＲＧＢ毎に異なるものを用意してＬＵＴに記憶しておき、各色毎に階調値を設定することがより好ましい。なお、その場合には、１画素を構成するＲＧＢのサブピクセル毎に対応するＬＵＴ中のトーン特性を参照して階調値を決定することになる。
【００７１】
また、上記の例では、液晶パネル面Ｐに対して±３０度の観察方法に対応する特性を利用しているが、この角度に限らず、本発明を適用する携帯端末装置の構造や用途などに応じて、利用者が観察する可能性が高い特定の角度における特性を考慮して階調値を決定することが望ましい。
【００７２】
（ｄ）視野角改善パターン
次に、視野角を改善するためのパターンについて説明する。既に述べたように、基本的には、画像拡大処理により得られる画素について、上下方向に隣接する画素が十分離れた階調値を有すれば、視野角の改善効果が得られる。例えば前述のように、画像拡大処理により１画素を４画素に拡大する場合には、図８に示すような幾つかのパターンが考えられる。
【００７３】
図８におけるパターン４０は、上下方向に隣接する画素の階調値の差がない又は少ないパターンであり、視野角の改善効果は得られない。
【００７４】
パターン４１及び４２は、画素単位で上下方向に隣接する画素の階調値に差を与えたものである。具体的には、パターン４１では左上の画素４１ａ及び右下４１ｄの画素の階調値が低く、左下の画素４１ｂ及び右上の画素４１ｃの階調値が高い。また、パターン４２では、上側２つの画素４２ａ及び４２ｃの階調値が低く、下側２つの画素４２ｂ及び４２ｄの階調値が高い。なお、これと逆に、上側２つの画素４２ａ及び４２ｃの階調値が高く、下側２つの画素４２ｂ及び４２ｄの階調値が低いパターンも考えられる。このように画素単位で上下方向に階調差を与える手法では、解像度の改善効果が得られる。基本的には、上下方向の画素の階調差が大きいほど解像度の改善効果は大きくなる。
【００７５】
パターン４３及び４４は、画素単位ではなく、サブピクセル単位で上下方向に階調差を与えたものである。サブピクセルとは、１画素を構成する単位であり、通常はＲ、Ｇ、Ｂ色のいずれかの色の表示領域により構成される。Ｒ、Ｇ、Ｂのサブピクセルが集合して１画素が構成される。
【００７６】
図８に示すパターン４３では、左上の画素４３ａのＲ及びＢのサブピクセルの階調値が低く、Ｇのサブピクセルの階調値が高い。一方、左下の画素４３ｂのＲ及びＢのサブピクセルの階調値は高く、Ｇのサブピクセルの階調値は低い。このように、サブピクセル単位で上下方向に階調差を与えることによっても、上下方向の視野角が改善される。パターン４４は、上側２つの画素４４ａ及び４４ｃを構成する全てのサブピクセルの階調値が低く、下側２つの画素４４ｂ及び４４ｄを構成する全てのサブピクセルの階調値が高い。これも、上下方向を逆にしたパターンとしてもよい。
【００７７】
このように、サブピクセル単位で上下方向に階調差を与える方法は、画素単位で上下方向に階調差を与える方法と比較して、階調差を設けたパターンを人間の目に目立ちにくくすることができるという利点がある。即ち、人間の目の解像度を超える空間周波数でとパターンの解像度を設定することができれば、そのパターンにおける階調差、即ちサブピクセルの明暗は人間の目では認識しにくくなる。よって、サブピクセル単位で上下方向の階調差を与えたパターンを使用すれば、パターン中における明暗の変化が目立たないようにし、かつ、視野角を改善することが可能になる。
【００７８】
なお、画像拡大処理により縦横方向に２倍の拡大を行う際に、パターン４２又は４４のように横方向に階調値が同一の画素を配置する場合は、液晶表示パネルの駆動方式次第では、隣接する２つの画素で同一のデータを共有して画素を駆動し、表示を行うことができるので、その場合にはパターン４２又は４４を使用すると低消費電力化が可能となる。
【００７９】
［表示制御処理］
次に、上述のＣＰＵ２１６及び表示装置２１２において行われる表示制御処理について説明する。
【００８０】
（第１実施例）
図９に、第１実施例に係る表示制御処理のフローチャートを示す。なお、以下に説明する表示制御処理は、図１に示す携帯端末装置２１０のＣＰＵ２１６と表示装置２１２が、上述したような画像処理に関するプログラムを実行することにより行われる。
【００８１】
本発明に係る画像表示装置においては、静止画を表示するための静止画モードと、動画を表示するための動画モードのモード選択が可能となっている。前述したような画像縮小処理を行うと、画質はどうしても粗くなる。動画を表示する場合には画像縮小処理後の画質でもそれほど問題はないのだが、じっくり観察する静止画の場合は画質の粗さが際立ってしまう。そこで、本発明では、静止画モードと動画モードを利用者が選択可能とし、その選択結果に応じて前記の画像縮小処理を行うか行わないかが決定されるようにした。
【００８２】
図９を参照すると、まず、ステップＳ１１において、携帯端末装置２１０は、外部のサーバその他から、表示の対象となる画像データを受信する。なお、この画像データはＲＧＢ形式の画像データであるとする。次に、ステップＳ１２において、ＣＰＵ２１６のＲＧＢ→ＹＵＶ変換部２３１は、受信したＲＧＢ形式の画像データに対してＲＧＢ→ＹＵＶ変換を行う。これにより、ＲＧＢ形式の１画素２４ビットの画像データが、ＹＵＶ形式の１画素１６ビットの画像データに変換され、データ量が２／３まで削減される。
【００８３】
ステップＳ１３では、利用者が静止画モードを選択しているか動画モードを選択しているかが判定される。利用者は、静止画モードと動画モードの選択を、携帯端末装置２１０の入力部２１８を操作することにより行うことができる。また、利用者の選択に基づくモード判定の代わりに、ＣＰＵ２１６が受信部２１４から供給される画像データの種類に基づいて自動的に静止画モードか動画モードかを判定しても良い。いずれの場合も、この判定処理はＣＰＵ２１６が行い、モード判定結果を表示装置２１２に供給する。
【００８４】
動画モードと判定された場合（ステップＳ１３；Ｎｏ）、ステップＳ１４においてＣＰＵ２１６の画像縮小処理部２３２は図３に例示した画像縮小処理を行う。図３の例では、画像データのデータ量は１／４に削減される。そして、画像縮小処理がなされてデータ量が削減された画像データＳ１が、表示装置２１２に転送される。このように、データ量の削減された画像データＳ１がＣＰＵ２１６から表示装置２１２へ供給されるので、表示装置２１２へのデータ転送速度は改善される。
【００８５】
表示装置２１２では、まず、ＣＰＵ２１６から供給された動画モードであるとのモード判定結果に基づいて、ステップＳ１５においてＹＵＶ→ＲＧＢ変換部２３３がＹＵＶ変換を行い、ＹＵＶ形式の画像データを、ドライバ２２６が処理可能なＲＧＢ形式の画像データとする。そして、ステップＳ１６において、画像拡大処理部２３４が元の画像サイズに戻す画像拡大処理を行う。具体的には、図４〜図８などに例示したいずれかの画像拡大方法により、例えば１画素を４画素に拡大する処理を行うとともに、同時に上下方向に画素又はサブピクセル単位で階調差を与えて視野角の改善を行った結果の画像データを作成する。
【００８６】
一方、ステップＳ１３で静止画モードと判定された場合は、画像データＳ１が表示装置２１２に転送される。ＣＰＵ２１６から供給された静止画モードであるとのモード判定結果に基づいて、ステップＳ１７においてＹＵＶ→ＲＧＢ変換部２３１によりＹＵＶ変換がなされる。なお、静止画モードの場合は、画質を落とさないためにＣＰＵ２１６は画像縮小処理を行わず、ステップＳ１２のＹＵＶ変換によってのみ画像のデータ量の削減を行う。
【００８７】
最後に、ステップＳ１８において、こうして得られたＲＧＢ形式の画像データがドライバ２２６に供給され、表示パネル２１２上に表示される。
【００８８】
このように、携帯端末装置２１０は動画モードの場合は転送するデータ量を大幅に削減するので、表示装置２１２へのデータ転送速度を速くすることができ、低消費電力も実現できる。一方、静止画モードが選択された場合は、画像縮小処理がされないので、高画質な画像が表示される。
【００８９】
（第２実施例）
次に、第２実施例に係る表示制御処理について説明する。第２実施例では、第１実施例とは別の方法で静止画を表示する。
【００９０】
まず、第２実施例に係る静止画の画像表示方法について図１０を用いて説明する。例えば、図１０の左上に示すような階調値を有する近傍４画素の画像データを、ＣＰＵ２１６から表示装置２１２へ供給するものとする。この場合、前述のように、４画素の階調値の平均化などにより画像縮小処理を行ってしまうと解像度が低下するので、そのような処理は静止画には適さない。そこで、本実施例では、この４画素の画像データを４フレームにわたって順に表示装置２１２へ転送する。即ち、図１０に示すように、１フレーム目では、４画素からなる元の画像の左上画素のデータ（階調値「１６」）のみを表示装置２１２に転送し、４画素ともその画素データで塗りつぶした画像を表示する。２フレーム目では、元の画像の右上画素のデータ（階調値「１７」）のみを転送し、上記の表示された画像の右上の画素をこのデータで書き換えた画像を表示する。同様に、３フレーム目では、元の画像の左下画素のデータ（階調値「１８」）のみが転送され、左下画素をそのデータで書き換えた画像を表示する。最後に、４フレーム目では、残りの一つの画素データ（階調値「１９」）が転送され、右下画素をこのデータで書き換えた画像を表示する。こうして、４フレーム経過後には、元の画像と一致する画像が表示される。
【００９１】
このように、本実施例では、縮小処理などを行うことなく、静止画データを４フレームかけて転送する。従って、元の画像を完全に再生するには４フレーム分の時間を要することになるが、画質を劣化させることなく静止画データを転送することが可能となる。なお、元の画像を転送していく画素の順序（配置）については、図１０に示すものは単なる例示であり、これには限定されない。
【００９２】
第２実施例に係る表示制御処理のフローチャートを図１１に示す。まず、ステップＳ２１でＣＰＵ２１６は外部のサーバなどから、表示対象となる画像データを受信する。
【００９３】
ステップＳ２２では、利用者が静止画モードを選択しているか動画モードを選択しているかが判定される。動画モードと判定された場合（ステップＳ２２；Ｙｅｓ）は、ステップＳ２３に進み、まずＲＧＢ→ＹＵＶ変換がなされる。以後、ステップＳ２４〜ステップＳ２６までの処理は、上述した第１実施例のステップＳ１４〜ステップＳ１６までと同様である。つまり、画像が動画であるのでＣＰＵ２１６においてデータ量を削減する処理がされ、データ量が削減された画像データＳ１がＣＰＵ２１６から表示装置２１２へ転送される。そして、ステップＳ２６において、表示装置２１２内では、ＹＵＶ変換部２３３及び画像拡大処理部２３４が元の画像に近い画像データを復元する処理を行う。
【００９４】
一方、ステップＳ２２で静止画モードであると判断された場合は、処理はステップＳ２７に進む。ステップＳ２７では、ＣＰＵ２１６内でＲＧＢ→ＹＵＶ変換が行われる。このとき、ＹＵＶ４：２：２フォーマットのサンプリング方法以外に、表示する静止画の質を落とさないために、ＹＵＶ４：４：４フォーマットでサンプリングする方法を行っても良い。
【００９５】
ステップＳ２８では、図１０を参照して説明したように、ＣＰＵ２１６において、近傍４画素のうちの１画素のみが選択され、表示装置２１２に転送される。次に、ステップＳ２９では、表示装置２１２において上記の画像データをＹＵＶ→ＲＧＢ変換する。
【００９６】
最後に、これらの処理がなされたＲＧＢ形式の画像データは、ステップＳ３０においてドライバ２２６に供給され、表示パネル２２７上に表示される。
【００９７】
よって、表示すべき画像が静止画である場合、最初の１フレーム目が転送された時点ではステップＳ２８で選ばれた画素で近傍４画素を埋めた画像データが作成され、表示される。また、１フレーム目でない場合は、それまでの４画素の画像データのうち対応する画素を順次転送された画素で置き換えた画像データが作成され、表示されることになる。このとき、ＣＰＵ２１６から転送されてくる画像データは、随時、表示装置２１２に内蔵しているＲＡＭに記憶しておき、新しい画像を作成する際に読み出される。
【００９８】
このように、第２実施例では、静止画データに対しては画像縮小処理を行っていないので、動画データに比べて高画質な画像が表示される。また、第１実施例の静止画モードでは、ＣＰＵ２１６が表示装置２１２へ転送する画像データのデータ量はＹＵＶ変換に伴う処理により削減されているが（２／３のデータ量になる）、第２実施例ではＹＵＶ変換によりデータ量を減少させる代わりに複数フレームを時分割して転送するので、１度に転送するデータが１／４（４画素中の１画素のみ）となる。よって、表示装置２１２への転送データ量がより少ないという特徴がある。
【００９９】
また、第２実施例の方法で１フレームの画像を表示する時間では、第１実施例の静止画モードでは表示画面の１／４しか表示されない。逆に言えば、第２実施例の静止画表示方法では、画質は粗いものの１フレーム目から静止画全体が表示できる。そのため、静止画の表示を開始した後に別の画像を表示した場合（例えば利用者が１つの画像を表示する操作をしたすぐ後に、別の画像を表示する操作を行ったような場合）、第１実施例によれば最初の静止画が完全に表示される前に別の画像の表示が始まることがありうるが、第２実施例によれば最初の静止画は迅速に表示されるのでそのようなことは起こりにくい。
【図面の簡単な説明】
【図１】本発明の画像処理を適用した携帯端末装置の概略構成を示す。
【図２】ＹＵＶ４：２：２フォーマットを説明するための図である。
【図３】画像縮小処理方法を模式的に示す。
【図４】単純な画像拡大処理、及び、視野角調整を伴う画像拡大処理方法を模式的に示す。
【図５】ＲＧＢ毎の視野角調整を伴う画像拡大処理方法を模式的に示す。
【図６】表示装置の表示特性を考慮した視野角調整方法の概念を説明するための図である。
【図７】表示装置の表示特性を考慮した視野角調整方法を模式的に示す。
【図８】視野角の改善が可能なパターン例を示す。
【図９】第１実施例に係る表示制御処理のフローチャートである。
【図１０】複数フレームかけてフルスペック画像を表示する方法を模式的に示す。
【図１１】第２実施例に係る表示制御処理のフローチャートである。
【符号の説明】
２１０  携帯端末装置、  ２１２  表示装置、  ２１４  送受信部、  ２１６ＣＰＵ、
２１８  入力部、  ２２０  プログラムＲＯＭ、  ２２４  ＲＡＭ
【図１】
2004363704.tif 000003
【図２】
2004363704.tif 000004
【図３】
2004363704.tif 000005
【図４】
2004363704.tif 000006
【図５】
2004363704.tif 000007
【図６】
2004363704.tif 000008
【図７】
2004363704.tif 000009
【図８】
2004363704.tif 000010
【図９】
2004363704.tif 000011
【図１０】
2004363704.tif 000012
【図１１】
2004363704.tif 000013